【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
遊技機を包装する装置であって、
前記遊技機を起立姿勢で搬送する搬送手段と、前記遊技機の搬送経路を挟んで両側に設けられ、熱可塑性材料からなる長尺状の前記包装用シートがそれぞれ巻回された一対のシートロールと、その一対のシートロールより前記包装用シートをそれぞれ繰り出し、前記搬送手段によって搬送される前記遊技機の両側から前記包装用シートを供給するシート供給手段と、開閉自在に設けられた一対の熱溶着バーが設けられると共に、一方の熱溶着バーの内面に切断用ヒータ線が設けられ、前記シート供給手段により供給された前記一対の包装用シートに前記遊技機の搬送方向前方側及び後方側でそれぞれ熱溶着及び切断を施す熱溶着切断手段とを有し、前記遊技機の制御を行う部分の少なくとも一部を覆うように、前記一対の包装用シートを前記遊技機の外周に被着するシート被着手段と、
前記熱溶着切断手段により前記一対の包装用シートに前記遊技機の搬送方向後方側で熱溶着及び切断が施される前に、前記搬送手段によって前記遊技機が搬送されつつ前記シート供給手段によって前記包装用シートが供給されることにより前記遊技機の外周へ巻きつけられる前記包装用シートの上部に予備熱処理を施す予備熱処理手段と、
前記遊技機の搬送方向後方側で熱溶着及び切断が施された後、前記遊技機の外周に巻きつけられた前記包装用シートの少なくとも一部に熱処理を施す熱処理手段と
を備えたことを特徴とする遊技機の包装装置。
【請求項２】
前記予備熱処理手段による予備熱処理の温度は、前記熱処理手段による熱処理の温度よりも低く設定されたことを特徴とする請求項１に記載の遊技機の包装装置。
【請求項３】
前記予備熱処理手段による予備熱処理の温度は、１５０℃程度に設定され、
前記熱処理手段による熱処理の温度は、２００℃〜４００℃に設定されたことを特徴とする請求項２に記載の遊技機の包装装置。
【請求項４】
前記予備熱処理手段は、熱風を発生させる熱風発生手段からなることを特徴とする請求項１乃至３のいずれかに記載の遊技機の包装装置。
【請求項５】
前記熱風発生手段は、熱風を継続的に発生させることを特徴とする請求項４に記載の遊技機の包装装置。
【手続補正２】
【補正対象書類名】明細書
【補正対象項目名】０００７
【補正方法】変更
【補正の内容】
【０００７】
以下、上記課題を解決するのに適した各手段につき、必要に応じて作用効果等を付記しつつ説明する。
１．遊技機を包装する装置であって、
前記遊技機を起立姿勢で搬送する搬送手段と、前記遊技機の搬送経路を挟んで両側に設けられ、熱可塑性材料からなる長尺状の前記包装用シートがそれぞれ巻回された一対のシートロールと、その一対のシートロールより前記包装用シートをそれぞれ繰り出し、前記搬送手段によって搬送される前記遊技機の両側から前記包装用シートを供給するシート供給手段と、開閉自在に設けられた一対の熱溶着バーが設けられると共に、一方の熱溶着バーの内面に切断用ヒータ線が設けられ、前記シート供給手段により供給された前記一対の包装用シートに前記遊技機の搬送方向前方側及び後方側でそれぞれ熱溶着及び切断を施す熱溶着切断手段とを有し、前記遊技機の制御を行う部分の少なくとも一部を覆うように、前記一対の包装用シートを前記遊技機の外周に被着するシート被着手段と、
前記熱溶着切断手段により前記一対の包装用シートに前記遊技機の搬送方向後方側で熱溶着及び切断が施される前に、前記搬送手段によって前記遊技機が搬送されつつ前記シート供給手段によって前記包装用シートが供給されることにより前記遊技機の外周へ巻きつけられる前記包装用シートの上部に予備熱処理を施す予備熱処理手段と、
前記遊技機の搬送方向後方側で熱溶着及び切断が施された後、前記遊技機の外周に巻きつけられた前記包装用シートの少なくとも一部に熱処理を施す熱処理手段と
を備えたことを特徴とする遊技機の包装装置。
【手続補正３】
【補正対象書類名】明細書
【補正対象項目名】０００８
【補正方法】変更
【補正の内容】
【０００８】
手段１によれば、まず、シート被着手段が、遊技機の制御を行う部分の少なくとも一部を覆うように、熱可塑性材料からなる包装用シートを遊技機の外周に被着する。すなわち、シート被着手段において、シート供給手段は、遊技機の搬送経路を挟んで両側に設けられた一対のシートロールより包装用シートをそれぞれ繰り出して、搬送手段によって搬送される起立姿勢の遊技機の両側から包装用シートを供給する。次いで、熱溶着切断手段は遊技機の搬送方向前方側で一対の熱溶着バーを閉じ、一対の包装用シートを重ね合わせて熱溶着を施すと共に、切断用ヒータ線により溶着部分の中間で切断する。これにより、当該遊技機を包装するための包装用シートが搬送方向前方側で接合されると共に、先行して搬送される他の遊技機を包装するための包装用シートから分離される。次に、包装用シートは、遊技機が搬送手段によって搬送されるのに伴って、搬送方向前方側の遊技機側面に当接すると共に、シートロールよりさらに繰り出されて遊技機の外周に緩く巻きつけられる。そして、遊技機が搬送手段によってさらに搬送されると、熱溶着切断手段は、遊技機の搬送方向後方側で再び一対の熱溶着バーを閉じ、一対の包装用シートを重ね合わせて熱溶着を施すと共に、切断用ヒータ線により溶着部分の中間で切断する。これにより、当該遊技機を包装するための包装用シートが搬送方向後方側で接合されて全体が筒状に形成されると共に、後続して搬送される他の遊技機を包装するための包装用シートから分離される。
一方、予備熱処理手段は、熱溶着切断手段により一対の包装用シートに遊技機の搬送方向後方側で熱溶着及び切断が施される前に、搬送手段によって遊技機が搬送されつつシート供給手段によって包装用シートが供給されることにより遊技機の外周へ巻きつけられる包装用シートの上部に予備熱処理を施す。よって、包装用シートの上部を熱収縮させることによってずり落ちを防止しつつ、包装用シートを遊技機外周へ緩く巻きつけることができる。
次いで、遊技機の搬送方向後方側で熱溶着及び切断が施された後、熱処理手段が、遊技機の外周に巻きつけられた包装用シートの少なくとも一部に熱処理を施すと、包装用シートが熱可塑性材料からなるため、当該被熱処理部分が収縮して遊技機の外周形状に沿って略密着する。熱処理手段による熱処理の終了後、熱可塑性材料からなる包装用シートの被熱処理部分が常温で冷却されて硬化するので、包装用シートが遊技機の外周へ略密着する状態が保たれる。つまり、手段１により、遊技機の制御を行う部分の少なくとも一部を覆うように、熱可塑性材料からなる包装用シートを遊技機の外周に被着させる工程と、遊技機の外周に被着された包装用シートの少なくとも一部に熱処理を施して収縮させ、包装用シートを遊技機の外周形状に沿って略密着させる工程とを自動的に実施することができる。
そして、手段１によって包装された包装用シートは、遊技機の外周形状に沿って略密着しているため、包装用シートを一旦切断・開封して、遊技機の制御を行う部分等に不正改造を行った後、元の包装状態と全く見分けがつかないように再包装することは不可能である。よって、不正改造の発見をより確実にすると共に、不正改造の未然防止を図ることができる。
また、包装用シートを被着した状態で熱処理により収縮させて遊技機の外周へ略密着させるので、シートを伸張させて遊技機へ巻きつけて包装する従来方法のようにシートの伸張強度や巻きつけ強度を調整することは必要とされない。このため、包装用シートの破れや、包装用シートの巻きつけにより遊技機の各構成部材へ悪影響を与える等の不具合が生じることがない。
【手続補正４】
【補正対象書類名】明細書
【補正対象項目名】０００９
【補正方法】変更
【補正の内容】
【０００９】
２．前記予備熱処理手段による予備熱処理の温度は、前記熱処理手段による熱処理の温度よりも低く設定されたことを特徴とする手段１に記載の遊技機の包装装置。
手段２によれば、予備熱処理手段による予備熱処理の温度が熱処理手段による熱処理の温度よりも低く設定されているので、遊技機に緩く巻きつけられた包装用シートがずり落ちない程度に熱収縮させることができる。一方、熱処理手段による熱処理温度が相対的に高く設定されることにより、包装用シートを十分に熱収縮させて遊技機に強固に密着させることができる。
【手続補正５】
【補正対象書類名】明細書
【補正対象項目名】００１０
【補正方法】変更
【補正の内容】
【００１０】
３．前記予備熱処理手段による予備熱処理の温度は、１５０℃程度に設定され、
前記熱処理手段による熱処理の温度は、２００℃〜４００℃に設定されたことを特徴とする手段２に記載の遊技機の包装装置。
手段３によれば、予備熱処理手段による予備熱処理の温度が熱処理手段による熱処理の温度である２００℃〜４００℃よりも低い１５０℃程度に設定されているので、遊技機に緩く巻きつけられた包装用シートがずり落ちない程度に熱収縮させることができる。また、熱処理手段が２００℃〜４００℃の温度で熱処理を施すので、熱可塑性材料からなる包装用シートを確実に収縮させることができると共に、熱によって遊技機を損傷させることがない。
【手続補正６】
【補正対象書類名】明細書
【補正対象項目名】００１１
【補正方法】変更
【補正の内容】
【００１１】
４．前記予備熱処理手段は、熱風を発生させる熱風発生手段からなることを特徴とする手段１乃至３のいずれかに記載の遊技機の包装装置。
手段４によれば、熱溶着切断手段により一対の包装用シートに遊技機の搬送方向後方側で熱溶着及び切断が施される前に、搬送手段によって遊技機が搬送されつつシート供給手段によって包装用シートが供給されることにより遊技機の外周へ巻きつけられる包装用シートの上部に熱風発生手段によって発生した熱風を吹き付けることにより予備熱処理を施す。よって、包装用シートの上部を熱収縮させることによってずり落ちを防止しつつ、包装用シートを遊技機外周へ緩く巻きつけることができる。また、熱風の吹きつけにより予備熱処理を施す構成としたので、熱風発生手段（例えば、熱風を噴出させるノズル）を遊技機の外周に巻きつけられる包装用シートの表面から離隔させた位置に配置することができる。
【手続補正７】
【補正対象書類名】明細書
【補正対象項目名】００１２
【補正方法】変更
【補正の内容】
【００１２】
５．前記シート被着手段は、少なくとも前記遊技機の主制御を行う主制御装置の一部又は全体を覆うように前記包装用シートを被着することを特徴とする手段１乃至４のいずれかに記載の遊技機の包装装置。
手段５によれば、少なくとも遊技機の主制御を行う主制御装置の一部又は全体を覆うように包装用シートが被着され、且つ熱処理によって包装用シートが収縮して遊技機の外周に略密着した状態とされるので、主制御装置への不正改造の発見を容易にすると共に不正改造の未然防止を図ることができる。
【手続補正８】
【補正対象書類名】明細書
【補正対象項目名】００１３
【補正方法】変更
【補正の内容】
【００１３】
６．前記シート被着手段は、少なくとも前記遊技機に設けられた風車飾りＬＥＤ基板、音声ランプ制御基板、液晶パネル制御基板、図柄制御基板、図柄情報基板のいずれか一つ以上を含んでなる役物制御装置の一部又は全体を覆うように前記包装用シートを被着することを特徴とする手段１乃至５のいずれかに記載の遊技機の包装装置。
手段６によれば、少なくとも遊技機に設けられた風車飾りＬＥＤ基板、音声ランプ制御基板、液晶パネル制御基板、図柄制御基板、図柄情報基板のいずれか一つ以上を含んでなる役物制御装置の一部又は全体を覆うように包装用シートが被着され、且つ熱処理によって包装用シートが収縮して遊技機の外周に略密着した状態とされるので、役物制御装置への不正改造の発見を容易にすると共に不正改造の未然防止を図ることができる。
【手続補正９】
【補正対象書類名】明細書
【補正対象項目名】００１４
【補正方法】変更
【補正の内容】
【００１４】
７．前記シート被着手段は、少なくとも賞球の払出し制御を行う払出し制御装置の一部又は全体を覆うように前記包装用シートを被着することを特徴とする手段１乃至６のいずれかに記載の遊技機の包装装置。
手段７によれば、少なくとも賞球の払出し制御を行う払出し制御装置の一部又は全体を覆うように包装用シートが被着され、且つ熱処理によって包装用シートが収縮して遊技機の外周に略密着した状態とされるので、払出し制御装置への不正改造の発見を容易にすると共に不正改造の未然防止を図ることができる。
【手続補正１０】
【補正対象書類名】明細書
【補正対象項目名】００３２
【補正方法】変更
【補正の内容】
【００３２】
２５．前記熱風発生手段は、熱風を継続的に発生させることを特徴とする手段４又は２４に記載の遊技機の包装装置。
手段２５によれば、熱風発生手段が熱風を継続的に発生させるので、包装用シートに対する熱処理温度が変動することが防止され、多数の遊技機に均一な包装を施すことができる。